(57)【要約】【課題】  ワイシャツを始めとするシャツの首回りを通常のシャツと同様の構造で目立つ動作をすることなく容易に拡げられ、コストアップせず、快適に長時間着用できること。【解決手段】  首回り調節可能シャツ１は、ボタンホール４は台襟上前３Ａの襟止め部下方線６Ａを中心として設けられ、長さも通常の１．２ｃｍである。しかし、最上部のボタン５が台襟下前３Ｂの襟止め部下方線６Ｂから外側に０．６ｃｍ離して、台襟下前３Ｂの襟止め部下方線６Ｂの外側の先端部７Ｂに縫付けられている。これによって、首回りが最上部のボタン５の縫付け位置から台襟下前３Ｂの襟止め部下方線６Ｂまでの長さ分だけ、即ち０．６ｃｍ緩んだ状態から、最上部のボタン５をボタンホール４の一番端に寄せることによって、さらにボタンホール４の長さの半分だけ即ち０．６ｃｍ首回りを緩めることができる。したがって、合計１．２ｃｍとより大きく首回りを緩めることができる。【選択図】        図２
2005325472.tif 000002
【特許請求の範囲】
【請求項１】
最上部のボタンがシャツの台襟（外襟のあるシャツでは前記外襟の下に隠れる首回りの部分）下前の襟止め部下方線から外側に離して前記台襟下前の襟止め部下方線の外側の先端部に縫付けられ、前記最上部のボタンが係合するボタンホールが台襟上前の襟止め部下方線を中心として前記台襟上前に設けられたことを特徴とする首回り調節可能シャツ。
【請求項２】
最上部のボタンがシャツの台襟下前の襟止め部下方線上に縫付けられ、前記最上部のボタンが係合するボタンホールが台襟上前の襟止め部下方線から外側に前記台襟上前の先端部に設けられたことを特徴とする首回り調節可能シャツ。
【請求項３】
最上部のボタンがシャツの台襟下前の襟止め部下方線から外側に離して前記台襟下前の先端部に縫付けられ、前記最上部のボタンが係合するボタンホールが台襟上前の襟止め部下方線から外側に前記台襟上前の先端部に掛けて設けられたことを特徴とする首回り調節可能シャツ。
【請求項４】
前記ボタンホールが通常の長さより長く設けられていることを特徴とする請求項１乃至請求項３のいずれか１つに記載の首回り調節可能シャツ。
【請求項５】
前記ボタンホールが前記台襟上前の襟止め部下方線から離れてさらに外側から前記台襟上前の先端部内に設けられたことを特徴とする請求項２乃至請求項４のいずれか１つに記載の首回り調節可能シャツ。
【発明の詳細な説明】
【技術分野】
【０００１】
本発明は、スーツ・礼服等の上着の下に着用してネクタイを締めるワイシャツ（カッターシャツ）を始めとする首回りをボタンで締めるシャツ（ブラウス等も含む）に関するもので、特に、首回りを楽に着用できる首回り調節可能シャツに関するものである。
【背景技術】
【０００２】
スーツ・礼服等の上着の下に着用するワイシャツは、首回りにネクタイを締めることを前提として作られているので、首回りの最上部までボタンで止めるようになっており、小売店では首回りと裄丈をそれぞれ１ｃｍ刻みで用意して、着用する人に最も合ったものを選ばせるようになっている。それでも、首回りにぴったりのワイシャツを着てその上からネクタイを締めた状態を長時間維持するのは窮屈だと感じる人が多い。
【０００３】
そこで、下記特許文献１においては、首回りの長さ調整を可能にするとともに、ネクタイをある程度ルーズに締めても違和感を与えない襟の構造を有するカッターシャツ（ワイシャツ）についての発明が開示されている。この特許文献１にかかる発明においては、ボタンホールの代わりにストッパー付のスライドファスナーを用いたり、ボタンの代わりにフックまたは足袋に使うコハゼを取付け、ボタンホールの代わりに複数のアイ（メンカン）またはコハゼ掛けを取付けたり、１対の面ファスナーでカッターシャツの最上部を止める構造としたりすることによって、カッターシャツの首回りの長さ調整を可能としている。そして、カッターシャツの首回り長さを最も短くしたときに襟の中央部が重なるように襟を取付けることによって、カッターシャツの首回り長さを長くしたときに丁度カッターシャツの両襟の中央部が合わさって、見る者に首回りを緩めているという印象を与えないようにしている。
【特許文献１】特開平５−３０２２０１号公報
【発明の開示】
【発明が解決しようとする課題】
【０００４】
しかしながら、上記特許文献１にかかる技術においては、構造が複雑になって製造に手間と時間を要するため、通常のワイシャツに比べてコスト高になる。また、最初にカッターシャツの首回りをある程度タイトに締めていて、途中で窮屈になってきて首回り長さを長くしようとする場合には、一度ネクタイを大きく緩めて、スライドファスナーをスライドさせたり、フックまたはコハゼを別の位置に掛け直したり、面ファスナーを一旦剥がして貼り付け直したりしなければならない。このような動作は人目に付いて見苦しく、また著しく面倒であるという問題点があった。
【０００５】
そこで、本発明は、ワイシャツを始めとするシャツの首回りを通常のシャツと同様の構造で目立つ動作をすることなく容易に拡げることができ、コストアップすることなく、快適に長時間着用することができる首回り調節可能シャツの提供を課題とするものである。
【課題を解決するための手段】
【０００６】
請求項１の発明にかかる首回り調節可能シャツは、最上部のボタンがシャツの台襟（外襟のあるシャツでは前記外襟の下に隠れる首回りの部分）下前の襟止め部下方線から外側に離して前記台襟下前の襟止め部下方線の外側の先端部に縫付けられ、前記最上部のボタンが係合するボタンホールが台襟上前の襟止め部下方線を中心として前記台襟上前に設けられたものである。
【０００７】
請求項２の発明にかかる首回り調節可能シャツは、最上部のボタンがシャツの台襟下前の襟止め部下方線上に縫付けられ、前記最上部のボタンが係合するボタンホールが台襟上前の襟止め部下方線から外側に前記台襟上前の先端部に設けられたものである。
【０００８】
請求項３の発明にかかる首回り調節可能シャツは、最上部のボタンがシャツの台襟下前の襟止め部下方線から外側に離して前記台襟下前の先端部に縫付けられ、前記最上部のボタンが係合するボタンホールが台襟上前の襟止め部下方線から外側に前記台襟上前の先端部に掛けて設けられたものである。
【０００９】
請求項４の発明にかかる首回り調節可能シャツは、請求項１乃至請求項３のいずれか１つの構成において、前記ボタンホールが通常の長さより長く設けられているものである。
【００１０】
請求項５の発明にかかる首回り調節可能シャツは、請求項２乃至請求項４のいずれか１つの構成において、前記ボタンホールが前記台襟上前の襟止め部下方線から離れてさらに外側から前記台襟上前の先端部内に設けられたものである。
【発明の効果】
【００１１】
請求項１の発明にかかる首回り調節可能シャツは、最上部のボタンがシャツの台襟下前の襟止め部下方線から外側に離して台襟下前の襟止め部下方線の外側の先端部に縫付けられ、最上部のボタンが係合するボタンホールが台襟上前の襟止め部下方線を中心として台襟上前に設けられている。
【００１２】
図５は通常のシャツの外襟を開いて台襟上前におけるボタンホールと台襟下前における最上部のボタンの位置関係を示す図である。図５に示されるように、通常のシャツ２１においては、最上部のボタン２５がシャツの台襟下前２３Ｂの襟止め部下方線２６Ｂ上に縫付けられ、ボタンホール２４は台襟上前の襟止め部下方線２６Ａを中心として台襟上前２３Ａに設けられている。したがって、通常のシャツ２１の場合は、首回りがぴったり締まった状態から最上部のボタン２５をボタンホール２４の一番端に寄せることによって、ボタンホール２４の長さ（通常は１．２ｃｍ〜１．３ｃｍ）の半分だけ首回りを緩めることができる。
【００１３】
これに対して、本発明にかかる首回り調節可能シャツは、首回りが最上部のボタンの縫付け位置から台襟下前の襟止め部下方線までの長さ分だけ緩んだ状態から、最上部のボタンをボタンホールの一番端に寄せることによって、さらにボタンホールの長さの半分だけ首回りを緩めることができる。したがって、より大きく首回りを緩めることができる。その代わり、首回りがぴったり締まった状態にはできないが、通常はネクタイを締めるため緩んでいても気付かれることは少なく、またネクタイを締めないシャツの場合はラフな感じになるだけで決して不自然ではない。
【００１４】
このようにして、ワイシャツを始めとするシャツの首回りを通常のシャツと同様の構造で目立つ動作をすることなく容易に拡げることができ、コストアップすることなく、快適に長時間着用することができる首回り調節可能シャツとなる。
【００１５】
請求項２の発明にかかる首回り調節可能シャツは、最上部のボタンがシャツの台襟下前の襟止め部下方線上に縫付けられ、最上部のボタンが係合するボタンホールが台襟上前の襟止め部下方線から外側に台襟上前の先端部に設けられたものである。これによって、本発明にかかる首回り調節可能シャツは、首回りがほぼぴったり締まった状態から最上部のボタンをボタンホールの一番端に寄せることによって、ボタンホールの長さ分だけ首回りを緩めることができる。即ち、通常のシャツの約２倍首回りを緩めることができる。
【００１６】
このようにして、ワイシャツを始めとするシャツの首回りを通常のシャツと同様の構造で目立つ動作をすることなく容易により大きく拡げることができ、コストアップすることなく、快適に長時間着用することができる首回り調節可能シャツとなる。
【００１７】
請求項３の発明にかかる首回り調節可能シャツは、最上部のボタンがシャツの台襟下前の襟止め部下方線から外側に離して台襟下前の先端部に縫付けられ、最上部のボタンが係合するボタンホールが台襟上前の襟止め部下方線から外側に台襟上前の先端部に掛けて設けられたものである。即ち、本発明にかかる首回り調節可能シャツは、請求項１の発明にかかる首回り調節可能シャツと請求項２の発明にかかる首回り調節可能シャツを合わせたものであり、首回りが最上部のボタンの縫付け位置から台襟下前の襟止め部下方線までの長さ分だけ緩んだ状態から、最上部のボタンをボタンホールの一番端に寄せることによって、さらにボタンホールの長さ分だけ首回りを緩めることができる。
【００１８】
その代わり、首回りがぴったり締まった状態にはできないが、通常はネクタイを締めるため緩んでいても気付かれることは少なく、またネクタイを締めないシャツの場合はラフな感じになるだけで決して不自然ではない。
【００１９】
このようにして、ワイシャツを始めとするシャツの首回りを通常のシャツと同様の構造で目立つ動作をすることなく容易に、さらに大きく拡げることができ、コストアップすることなく、快適に長時間着用することができる首回り調節可能シャツとなる。
【００２０】
請求項４の発明にかかる首回り調節可能シャツは、請求項１乃至請求項３のいずれか１つの構成において、ボタンホールが通常の長さより長く設けられている。前述の如く、通常のボタンホールの長さは１．２ｃｍ〜１．３ｃｍであるから、これを１．５ｃｍ、１．７ｃｍと長くすることによって、長くなった分だけさらに大きく首回りを緩めることができる。
【００２１】
このようにして、ワイシャツを始めとするシャツの首回りを通常のシャツと同様の構造で目立つ動作をすることなく容易に、さらに大きく拡げることができ、コストアップすることなく、快適に長時間着用することができる首回り調節可能シャツとなる。
【００２２】
請求項５の発明にかかる首回り調節可能シャツは、請求項２乃至請求項４のいずれか１つの構成において、ボタンホールが台襟上前の襟止め部下方線から離れてさらに外側から台襟上前の先端部内に設けられている。これによって、首回りが一番締まったときでもボタンホールの端から台襟上前の襟止め部下方線までの長さ以上に首回りが緩むことになるが、その長さ分だけさらに大きく首回りを緩めることができる。その代わり、首回りがぴったり締まった状態にはできないが、通常はネクタイを締めるため緩んでいても気付かれることは少なく、またネクタイを締めないシャツの場合はラフな感じになるだけで決して不自然ではない。
【００２３】
このようにして、ワイシャツを始めとするシャツの首回りを通常のシャツと同様の構造で目立つ動作をすることなく容易に、さらに大きく拡げることができ、コストアップすることなく、快適に長時間着用することができる首回り調節可能シャツとなる。
【発明を実施するための最良の形態】
【００２４】
以下、本発明の実施の形態について、図面を参照しつつ説明する。以下に示す本発明の各実施の形態は、本発明の首回り調節可能シャツを主にワイシャツに適用した場合を例示するものである。
実施の形態１
【００２５】
まず、本発明の実施の形態１について、図１及び図２を参照して説明する。図１は本発明の実施の形態１にかかる首回り調節可能シャツの最上部のボタンを締めた状態を示す上部正面図である。図２は本発明の実施の形態１にかかる首回り調節可能シャツの外襟を開いて台襟上前におけるボタンホールと台襟下前における最上部のボタンの位置関係を示す図である。
【００２６】
図１に示されるように、本実施の形態１にかかる首回り調節可能シャツ１は、外見はスーツ等の下に着る通常の長袖・外襟２付きのワイシャツである。そして、最上部のボタン５は台襟３の下前側（図示左側）に縫付けられ、台襟３の上前３Ａ側（図示右側）に設けられた通常のボタンホール４に掛けられて止められる。
【００２７】
そして、図２に示されるように、本実施の形態１にかかる首回り調節可能シャツ１においては、ボタンホール４は台襟上前３Ａの襟止め部下方線６Ａを中心として台襟上前３Ａに設けられており、ボタンホール４の長さも通常のシャツと同じく１．２ｃｍである。しかし、最上部のボタン５が台襟下前３Ｂの襟止め部下方線６Ｂから外側に０．６ｃｍ離して、台襟下前３Ｂの襟止め部下方線６Ｂの外側の先端部７Ｂに縫付けられている。
【００２８】
これによって、首回りが最上部のボタン５の縫付け位置から台襟下前３Ｂの襟止め部下方線６Ｂまでの長さ分だけ、即ち０．６ｃｍ緩んだ状態から、最上部のボタン５をボタンホール４の一番端に寄せることによって、さらにボタンホール４の長さの半分だけ即ち０．６ｃｍ首回りを緩めることができる。したがって、合計１．２ｃｍとより大きく首回りを緩めることができる。その代わり、首回りがぴったり締まった状態にはできないが、通常は首回り調節可能シャツ１にはネクタイを締めるため緩んでいても気付かれることは少なく、またネクタイを締めないシャツの場合はラフな感じになるだけで決して不自然ではない。
【００２９】
このようにして、本実施の形態１にかかる首回り調節可能シャツ１においては、ワイシャツを始めとするシャツの首回りを通常のシャツと同様の構造で目立つ動作をすることなく容易に拡げることができ、コストアップすることなく、快適に長時間着用することができる。
実施の形態２
【００３０】
次に、本発明の実施の形態２について、図３を参照して説明する。図３（ａ）は本発明の実施の形態２にかかる首回り調節可能シャツの外襟を開いて台襟上前におけるボタンホールと台襟下前における最上部のボタンの位置関係を示す図、（ｂ）は本発明の実施の形態２の変形例にかかる首回り調節可能シャツの外襟を開いて台襟上前におけるボタンホールと台襟下前における最上部のボタンの位置関係を示す図である。
【００３１】
図３（ａ）に示されるように、本実施の形態２にかかる首回り調節可能シャツ１１Ａにおいては、ボタンホール８は台襟上前３Ａの襟止め部下方線６Ａを一端として襟止め部下方線６Ａの外側の台襟上前先端部７Ａに設けられており、ボタンホール８の長さも通常のシャツより長く１．５ｃｍとなっている。さらに、最上部のボタン５が台襟下前３Ｂの襟止め部下方線６Ｂから外側に１．５ｃｍ離して、台襟下前３Ｂの襟止め部下方線６Ｂの外側の先端部７Ｂに縫付けられている。
【００３２】
これによって、首回りが最上部のボタン５の縫付け位置から台襟下前３Ｂの襟止め部下方線６Ｂまでの長さ分だけ、即ち１．５ｃｍ緩んだ状態から、最上部のボタン５をボタンホール８の一番端に寄せることによって、さらにボタンホール８の長さ分だけ即ち１．５ｃｍ首回りを緩めることができる。したがって、合計３．０ｃｍとさらに大きく首回りを緩めることができる。その代わり、首回りがぴったり締まった状態にはできないが、通常は首回り調節可能シャツ１１Ａにはネクタイを締めるため緩んでいても気付かれることは少なく、またネクタイを締めないシャツの場合はラフな感じになるだけで決して不自然ではない。
【００３３】
また、図３（ｂ）に示されるように、本実施の形態２の変形例にかかる首回り調節可能シャツ１１Ｂにおいては、ボタンホール９は台襟上前３Ａの襟止め部下方線６Ａを一端として襟止め部下方線６Ａの外側の台襟上前先端部７Ａに設けられており、ボタンホール９の長さも通常のシャツよりさらに長く１．７ｃｍとなっている。そして、最上部のボタン５が台襟下前３Ｂの襟止め部下方線６Ｂから外側に１．７ｃｍ離して、台襟下前３Ｂの襟止め部下方線６Ｂの外側の先端部７Ｂに縫付けられている。
【００３４】
これによって、首回りが最上部のボタン５の縫付け位置から台襟下前３Ｂの襟止め部下方線６Ｂまでの長さ分だけ、即ち１．７ｃｍ緩んだ状態から、最上部のボタン５をボタンホール９の一番端に寄せることによって、さらにボタンホール９の長さ分だけ即ち１．７ｃｍ首回りを緩めることができる。したがって、合計３．４ｃｍとさらに大きく首回りを緩めることができる。その代わり、首回りがぴったり締まった状態にはできないが、通常は首回り調節可能シャツ１１Ｂにはネクタイを締めるため緩んでいても気付かれることは少なく、またネクタイを締めないシャツの場合はラフな感じになるだけで決して不自然ではない。
【００３５】
このようにして、本実施の形態２にかかる首回り調節可能シャツ１１Ａ，１１Ｂにおいては、ワイシャツを始めとするシャツの首回りを通常のシャツと同様の構造で目立つ動作をすることなく容易に、さらに大きく拡げることができ、コストアップすることなく、快適に長時間着用することができる。
実施の形態３
【００３６】
次に、本発明の実施の形態３について、図４を参照して説明する。図４は本発明の実施の形態３にかかる首回り調節可能シャツの外襟を開いて台襟上前におけるボタンホールと台襟下前における最上部のボタンの位置関係を示す図である。
【００３７】
図４に示されるように、本実施の形態３にかかる首回り調節可能シャツ１２においては、ボタンホール１０は台襟上前３Ａの襟止め部下方線６Ａから外側へ０．５ｃｍ離れた位置を一端として、襟止め部下方線６Ａの外側の台襟上前先端部７Ａに設けられており、ボタンホール１０の長さも通常のシャツより長く１．５ｃｍとなっている。また、最上部のボタン５が台襟下前３Ｂの襟止め部下方線６Ｂから外側に１．５ｃｍ離して、台襟下前３Ｂの襟止め部下方線６Ｂの外側の先端部７Ｂに縫付けられている。
【００３８】
これによって、首回りが最上部のボタン５の縫付け位置から台襟下前３Ｂの襟止め部下方線６Ｂまでの長さ分に、台襟上前３Ａの襟止め部下方線６Ａからボタンホール１０の一端が外側へ離れた長さ分を加えただけ、即ち（１．５ｃｍ＋０．５ｃｍ＝）２．０ｃｍ緩んだ状態から、最上部のボタン５をボタンホール１０の一番端に寄せることによって、さらにボタンホール１０の長さ分だけ即ち１．５ｃｍ首回りを緩めることができる。したがって、合計３．５ｃｍとさらに大きく首回りを緩めることができる。その代わり、首回りがぴったり締まった状態にはできないが、通常は首回り調節可能シャツ１２にはネクタイを締めるため緩んでいても気付かれることは少なく、またネクタイを締めないシャツの場合はラフな感じになるだけで決して不自然ではない。
【００３９】
このようにして、本実施の形態３にかかる首回り調節可能シャツ１２においては、ワイシャツを始めとするシャツの首回りを通常のシャツと同様の構造で目立つ動作をすることなく容易に、さらに大きく拡げることができ、コストアップすることなく、快適に長時間着用することができる。
【００４０】
上記各実施の形態においては、本発明の首回り調節可能シャツを主にワイシャツに適用した場合を想定して説明したが、本発明の首回り調節可能シャツは台襟にボタンが付いたシャツ全般について適用できるものであり、カジュアルなシャツ、ブラウス、スタンドカラー等の外襟なしシャツ等にも適用することができる。
【００４１】
また、上記各実施の形態においては、台襟の幅が通常な大きさの場合について説明しているが、台襟の幅が広い特殊な場合には、ボタンホール及び最上部のボタンを上下二段に設けても良い。
【００４２】
さらに、上記実施の形態２，３においては、通常より長いボタンホール８，９，１０を台襟上前３Ａの襟止め部下方線６Ａの外側の台襟上前先端部７Ａに設けているが、最上部のボタン５を台襟下前３Ｂの襟止め部下方線６Ｂから外側に離して台襟下前先端部７Ｂに縫付けるだけとして、ボタンホール８，９，１０は台襟上前３Ａの襟止め部下方線６Ａを中心として設けても良いし、ボタンホール８，９，１０の長さを通常の長さ（１．２ｃｍ〜１．３ｃｍ）としても良い。
【００４３】
また、逆に通常より長いボタンホール８，９，１０を台襟上前３Ａの襟止め部下方線６Ａの外側の台襟上前先端部７Ａに設けるだけとして、最上部のボタン５は台襟下前３Ｂの襟止め部下方線６Ｂ上に縫付けるようにすることもできる。
【００４４】
首回り調節可能シャツのその他の部分の構造、形状、数量、材質、大きさ、接続関係等についても、上記各実施の形態に限定されるものではない。
【図面の簡単な説明】
【００４５】
【図１】図１は本発明の実施の形態１にかかる首回り調節可能シャツの最上部のボタンを締めた状態を示す上部正面図である。
【図２】図２は本発明の実施の形態１にかかる首回り調節可能シャツの外襟を開いて台襟上前におけるボタンホールと台襟下前における最上部のボタンの位置関係を示す図である。
【図３】図３（ａ）は本発明の実施の形態２にかかる首回り調節可能シャツの外襟を開いて台襟上前におけるボタンホールと台襟下前における最上部のボタンの位置関係を示す図、（ｂ）は本発明の実施の形態２の変形例にかかる首回り調節可能シャツの外襟を開いて台襟上前におけるボタンホールと台襟下前における最上部のボタンの位置関係を示す図である。
【図４】図４は本発明の実施の形態３にかかる首回り調節可能シャツの外襟を開いて台襟上前におけるボタンホールと台襟下前における最上部のボタンの位置関係を示す図である。
【図５】図５は通常のシャツの外襟を開いて台襟上前におけるボタンホールと台襟下前における最上部のボタンの位置関係を示す図である。
【符号の説明】
【００４６】
１，１１Ａ，１１Ｂ，１２  首回り調節可能シャツ
２  外襟
３  台襟
３Ａ  台襟上前
３Ｂ  台襟下前
４，８，９，１０  ボタンホール
５  最上部のボタン
６Ａ  台襟上前の襟止め部下方線
６Ｂ  台襟下前の襟止め部下方線
７Ａ  台襟上前先端部
７Ｂ  台襟下前先端部
【図１】
2005325472.tif 000003
【図２】
2005325472.tif 000004
【図３】
2005325472.tif 000005
【図４】
2005325472.tif 000006
【図５】
2005325472.tif 000007